(57)【要約】【課題】画像イメージを画面上に表示する場合の作業性と表示性とに優れた画像表示処理装置を提供することを課題とする。【解決手段】画像データの対応付けられたイメージセルを選択した場合には、その選択されたセルに対応して記憶された画像データからイメージを生成して表示部１０に表示させる。画像イメージの連続表示のためにイメージ列項目が選択された場合には、１行目のイメージセルの画像データからイメージを生成して表示させ、タイムアップするまで表示し、タイムアップ後は、次行の画像データがなくなるまでは次行の画像データを読み込んでイメージを生成して表示させる。【選択図】　図６
2004139089.tif 000002
【特許請求の範囲】
【請求項１】
　複数の画像データを記憶する画像データ記憶手段と、
　上記各画像データ毎に、当該画像データを縮小して作成した縮小画像データを記憶する縮小画像記憶手段と、
　画像を連続表示させる際での各画像の表示時間を設定する表示時間設定手段と、
　画像の連続表示の指示により、上記縮小画像記憶手段に記憶された上記各縮小画像データを、上記表示時間設定手段で設定された表示時間間隔で順次読み出し、その縮小画像データに基づいた画像イメージを表示画面上で切換表示させる第１表示制御手段と、
　上記画像の個別指示があれば、その指示画像対応の画像データを上記画像データ記憶手段より読み出し、その画像データに基づいた画像イメージを上記表示画面上に表示させる第２表示制御手段と、
　を具備したことを特徴とする画像表示処理装置。
【請求項２】
　複数の画像データを記憶する画像データ記憶手段と、
　上記各画像データ毎に、当該画像データを縮小して作成した縮小画像データを記憶する縮小画像記憶手段と、
　画像を連続表示させる際での各画像の表示時間を設定する表示時間設定手段と、
　画像の連続表示の指示により、上記縮小画像記憶手段に記憶された上記各縮小画像データを、上記表示時間設定手段で設定された表示時間間隔で順次読み出して表示画面上に切換表示させる第１表示制御手段と、
　上記各画像が順次切換え表示されている途中において所定の指示操作があった際は、その指示操作時点での表示画像に対応する画像データを上記画像データ記憶手段より読み出して上記表示画面上に表示させる第２表示制御手段と、
　を具備したことを特徴とする画像表示処理装置。
【請求項３】
　複数の画像データを記憶する画像データ記憶手段と、
　画像を連続表示させる際での各画像の表示時間を設定する表示時間設定手段と、
　画像を連続表示させる際での表示の順位を決定する表示順位決定手段と、
　画像の連続表示の指示により、上記各画像データに対応して作成された縮小画像データを、上記表示時間設定手段で設定された表示時間間隔で、且つ上記表示順位決定手段で決定された順番で順次読み出して表示画面上で切換表示させる第１表示制御手段と、
　上記各画像が順次切換え表示されている途中において所定の指示操作があった際は、その指示操作時点での表示画像に対応する画像データを上記画像データ記憶手段より読み出して上記表示画面上に表示させる第２表示制御手段と、
　を具備したことを特徴とする画像表示処理装置。
【発明の詳細な説明】
【技術分野】
【０００１】
　本発明は、画像イメージを表示処理する画像表示処理装置に関する。
【背景技術】
【０００２】
　従来、表計算用のアプリケーションプログラムなどによって様々な表データをセル単位で作成し、出力（表示、印刷など）することができる処理装置として、ワードプロセッサ（Word Processor）やパーソナルコンピュータ（Personal Computer ）、あるいはエンジニアリングワークステーション（Engineering WorkStation）などがある。
【０００３】
　このような処理装置における表中の各セルに入力される表データの種類としては、数値データ、文字データ以外に、イメージデータ（画像データ）、音声データなどがあり、各セル内にそれらを表示していた。
【発明の開示】
【発明が解決しようとする課題】
【０００４】
　しかしながら、このような従来の処理装置においては、以下に述べるような課題があった。
　すなわち、表データに画像データが含まれる場合、通常、画像データの表示面積は数値データや文字データのそれよりも大きいため、数値データや文字データを画像データの大きさに合わせてセル表示すると、数値データや文字データの表示領域が表示されるデータに比べ大きくなってしまうので見た目にバランスが悪かった。
【０００５】
　また、複数の画像イメージを表示させる場合は、画像イメージを連続的に表示させることができないので、画像セルを１回づつ指定する必要があり、画像イメージの表示の操作性が悪かった。
【０００６】
　本発明は、画像を画面上に表示する場合の作業性と表示性とに優れた画像表示処理装置を提供することを課題とする。
【課題を解決するための手段】
【０００７】
　請求項１記載の発明は、複数の画像データを記憶する画像データ記憶手段と、上記各画像データ毎に、当該画像データを縮小して作成した縮小画像データを記憶する縮小画像記憶手段と、画像を連続表示させる際での各画像の表示時間を設定する表示時間設定手段と、画像の連続表示の指示により、上記縮小画像記憶手段に記憶された上記各縮小画像データを、上記表示時間設定手段で設定された表示時間間隔で順次読み出し、その縮小画像データに基づいた画像イメージを表示画面上で切換表示させる第１表示制御手段と、上記画像の個別指示があれば、その指示画像対応の画像データを上記画像データ記憶手段より読み出し、その画像データに基づいた画像イメージを上記表示画面上に表示させる第２表示制御手段と、を具備したことを特徴とする。
　請求項２記載の発明は、複数の画像データを記憶する画像データ記憶手段と、上記各画像データ毎に、当該画像データを縮小して作成した縮小画像データを記憶する縮小画像記憶手段と、画像を連続表示させる際での各画像の表示時間を設定する表示時間設定手段と、画像の連続表示の指示により、上記縮小画像記憶手段に記憶された上記各縮小画像データを、上記表示時間設定手段で設定された表示時間間隔で順次読み出して表示画面上に切換表示させる第１表示制御手段と、上記各画像が順次切換え表示されている途中において所定の指示操作があった際は、その指示操作時点での表示画像に対応する画像データを上記画像データ記憶手段より読み出して上記表示画面上に表示させる第２表示制御手段と、を具備したことを特徴とする画像表示処理装置。
　請求項３記載の発明は、複数の画像データを記憶する画像データ記憶手段と、画像を連続表示させる際での各画像の表示時間を設定する表示時間設定手段と、画像を連続表示させる際での表示の順位を決定する表示順位決定手段と、画像の連続表示の指示により、上記各画像データに対応して作成された縮小画像データを、上記表示時間設定手段で設定された表示時間間隔で且つ上記表示順位決定手段で決定された順番で順次読み出して表示画面上で切換表示させる第１表示制御手段と、上記各画像イメージが順次切換え表示されている途中において所定の指示操作があった際は、その指示操作時点での表示画像に対応する画像データを上記画像データ記憶手段より読み出して上記表示画面上に表示させる第２表示制御手段と、を具備したことを特徴とする画像表示処理装置。
【発明の効果】
【０００８】
　本発明によれば、画像を表示させる場合に画像データを１回づつ指定する必要がなく、所定の操作により画像が所定の順番で、且つ設定した時間間隔で連続的に表示されることとなって、画像の表示操作を簡単に行うことができる。
【０００９】
　そして、特に請求項１の発明によれば、画像の連続表示の指示では、縮小画像データにより画像を連続表示させることができ、一方、画像の個別指示では、指示画像対応の元画像の画像データによる個別の画像表示が可能となる。
　また特に請求項２、３の発明によれば、画像の連続表示の際は、元となる画像データを縮小して作成した縮小画像データによる画像で連続表示させることができ、その連続表の途中での所定指示操作で、その時点での画像に対応する元となる画像データによる画像表示が可能となる。
　また更に請求項３の発明によれば、画像を連続表示させる際の表示順位を決定することができる。
【発明を実施するための最良の形態】
【００１０】
　以下、図を参照して本発明に好適な実施の形態を詳細に説明する。
　図１〜図６は、本発明の表処理装置を適用したコンピュータシステムについて示す図である。
【００１１】
まず、構成を説明する。
　図１は、本発明を適用したコンピュータシステム１の要部構成を示すブロック図である。
　この図１において、コンピュータシステム１は、ＣＰＵ２、入力部３、マウス４、記憶装置５、記憶媒体５ａ、加工用ワークメモリ６、表データファイル７、イメージリーダー８、印刷部９、表示部１０、イメージファイル１１、縮小イメージファイル１２により構成されており、各部はバス１３によって接続されている。
【００１２】
　ＣＰＵ（Central Processing Unit ）２は、記憶装置５及び記憶媒体５ａに格納される各種制御プログラムやアプリケーションプログラムなどに従ってコンピュータシステム１の各部を制御する中央演算処理装置である。また、ＣＰＵ２は、入力部３及びマウス４から入力される項目、数値、数式等の各種データを表計算処理により表データファイル７に格納し、後述する表データ指定処理において、指定セルのタイプが、数値か、文字か、或いはイメージかを判別し、その判別したセルタイプに応じて表データファイル７、イメージファイル１１から該当する各データを読み出して、数値、又は文字の場合はそのままのデータを、イメージデータの場合はイメージ記号を、それぞれ指定セルの出力領域に出力する。
【００１３】
　入力部３は、図示しないが、ファンクションキー、数値キー、文字キー及び他キーを有し、ユーザーによる各キー入力操作に応じた各種操作信号をＣＰＵ２に出力する。
　マウス４は、表示部１０の表示画面１０ａに表示されるアイコンや操作メニュー、或いは表データを構成するセルの選択指定などを行なうポインティングデバイスであり、相対位置座標データ及びクリック信号をＣＰＵ２に出力する。
【００１４】
　記憶装置５は、ＣＰＵ２により実行される各種制御プログラムが記憶されている記憶媒体５ａを有しており、この記憶媒体５ａは磁気的、光学的記憶媒体、若しくは半導体メモリで構成されている。この記憶媒体５ａには記憶装置５に固定的に設けられたもの、若しくは着脱自在に装着されるものがあり、上記制御プログラムの他、制御プログラムで処理されたデータ等が記憶される。また、この記憶媒体５ａに記憶するプログラム、データ等は、通信回線等を介して接続された他の機器から受信して記憶する構成にしてもよく、更に、通信回線等を介して接続された他の機器側に上記記憶媒体５ａを備えた記憶装置５を設け、この記憶媒体５ａに記憶されているプログラム、データを通信回線を介して使用する構成にしてもよい。
【００１５】
　加工用ワークメモリ６は、ＣＰＵ２によりイメージ表示処理が行なわれる際に、イメージファイル１１から読み出したイメージデータ（例えば、従業員の顔）を展開して、縮小したイメージデータに加工するためのメモリエリアを形成する。
【００１６】
　表データファイル７は、ＣＰＵ２により処理される複数のセルデータを配列して構成される表データを格納するメモリであり、格納されるセルデータのデータ構造は図２に示すようになっている。この図２においてセルデータは、表中のセル位置を示すセル座標データ（（Ｘ，Ｙ）の２次元座標）と、当該セルデータの種類を示すセルタイプデータ（０：数値，１：文字，２：イメージなど）と、セル属性データ（文字サイズ（０：８ポイント，１：１０ポイントなど）、書体（０：明朝，１：ゴシックなど）、割付け（０：左詰め，１：中央，２：右詰めなど）、数値書式（０：標準，１：３桁区切り有など））と、入力された数値、文字、イメージの各データ等の実データを格納する領域である入力データとにより構成されている。
【００１７】
　イメージリーダー８は、セットされた読み取り対象の原稿上（例えば、従業員の顔写真）を走査して、原稿イメージを所定の解像度で読み取り、イメージデータとしてイメージファイル１１に蓄積する。
　印刷部９は、ＣＰＵ２を介して入力される印刷データ（例えば、表データなど）を指定された色、形式で所定用紙に印刷する。
　表示部１０は、ＣＲＴ（Cathode Ray Tube）や液晶ディスプレイなどにより構成されており、ＣＰＵ２を介して入力される画像表示信号を指定された色で画面１０ａに表示する。
【００１８】
　イメージファイル１１は、イメージリーダー８により読み取られたイメージデータ（例えば、従業員の顔画像）を複数格納するメモリである。
　縮小イメージファイル１２は、ＣＰＵ２によりイメージデータ（例えば、従業員の顔画像）から作成された縮小イメージデータを複数格納するメモリである。
【００１９】
　そして、上記説明した表データファイル７、イメージファイル１１は、図３に示すように、表データファイル７のイメージデータの各セルに対応付けられて記憶されている。また、イメージファイル１１と縮小イメージファイル１２も図３に示すように、イメージファイル１１のポインタを介して関連付けられて記憶されている。これにより、マウス４等により画像セルが指定された場合に、当該画像セルに該当する表データファイル７内のイメージデータ、イメージファイル１１内のイメージデータ、縮小イメージファイル１２内の縮小イメージデータの各ファイル間でのデータの読み取り等の応答速度が速くなるようになっている。
【００２０】
　以上が本実施の形態におけるコンピュータシステム１の構成である。
　なお、イメージファイル１１と表データファイル７は記憶装置５内に設けられた所定の記憶領域であってもよいことは勿論である。
【００２１】
　次に、動作を説明する。
　本実施の形態のコンピュータシステム１のＣＰＵ２において実行される表データを表示する場合の表データ指定処理について図４に示すフローチャートと図６に示す表示例に基づいて説明する。
【００２２】
　この表データ指定処理が開始されると、まず、入力部３或いはマウス４の所定操作（例えば、マウス４によるアイコンのクリック操作）により表示する表データのファイル名が指定されると、その指定信号がＣＰＵ２に出力される。ＣＰＵ２は、入力した指定信号によりその指定されたファイル名の表データを表データファイル７から検索し、その検索した表データのうちセル位置座標値が小さい方からセルデータを取得し（ステップＳ１）、そのセルにおいてセルデータが格納されているか否かを、図２に示したセルデータ構造の内容を参照して判定する（ステップＳ２）。
【００２３】
　ステップＳ２の判定の結果、セルデータが格納されていない場合は本処理を終了するが、セルデータが格納されている場合はＣＰＵ２はそのセルデータ内に設定されているセルタイプの内容を参照してセルタイプが数値又は文字タイプか或いはイメージタイプかを判定する（ステップＳ３）。
【００２４】
　ステップＳ３の判定の結果、セルタイプが文字又は数値タイプである場合には、その表データファイル７の中のセルデータの入力データ領域に格納されている数値或いは文字データを当該指定セルに表示し（ステップＳ４）、ステップＳ１に戻るが、セルタイプがイメージタイプである場合には、イメージであることを示す記号を生成して当該指定セルに表示して（ステップＳ５）、ステップＳ１に戻る。
【００２５】
　そして、表データ内の全セルに対して上記ステップＳ１〜ステップＳ５の処理を繰り返して実行して、各セルへのセルデータの出力処理を行って、ステップＳ２の「セル有り？」の判別処理の結果、セル無しと判別されるまで、本処理を繰り返して行う。
【００２６】
　以上のように、表データ指定処理を繰り返し実行することにより、表データを構成する各セルに数値、文字、イメージであることを示す記号の各セルデータが読み出されて表示される。
【００２７】
　この表データ指定処理により表示部１０の画面１０ａに表示される表示データの一表示例を図６（Ａ）に示す。この図６（Ａ）は、社員名簿の表データを表示した例であり、項目名として、セル座標Ａ０に「氏名」、セル座標Ｂ０に「顔写真」、セル座標Ｃ０に「所属」が表示され、セル座標Ａ１〜Ａｎには氏名のデータが、セル座標Ｂ１〜Ｂｎには顔写真のデータが、セル座標Ｃ１〜Ｃｎには所属のデータが、それぞれ表示される。ここで、顔写真データは、イメージであることを示す記号（例えば、「Ｇ」など）として表示される。
【００２８】
　次に、本実施の形態のコンピュータシステム１のＣＰＵ２におけるイメージデータを表示する場合のイメージ表示処理について図５に示すフローチャートと図６に示す表示例に基づいて説明する。
【００２９】
　このイメージ表示処理が開始されると、まず、ステップＳ１１において、表示部１０の画面１０ａに表示されたイメージ列の項目名（例えば、図６（Ａ）のセル座標Ｂ０の顔写真）を、マウス４等のクリック操作により選択指示したか否かを判定する。
【００３０】
　このステップＳ１１の判定の結果、イメージ列項目名（例えば、図６（Ａ）のセル座標Ｂ０の顔写真）の選択指示がない場合には、ステップＳ１２に移行する。
【００３１】
　ステップＳ１２では、イメージセル（例えば、図６（Ａ）のセル座標Ｂ１〜Ｂｎの顔写真）をマウス等のクリック操作等により選択指示したか否かを判定し、イメージセルの選択がない場合には、本イメージ表示処理を終了するが、イメージセルの選択がある場合（例えば、図６（Ｂ）の画像セルＢ４のクリック操作）には、その選択指示信号がＣＰＵ２に出力される。ＣＰＵ２は入力した選択指示信号に基づいてイメージファイル１１から該当するイメージデータを読み出して（ステップＳ１３）、読み出したイメージデータから画像表示信号を生成し（ステップＳ１４）、この画像表示信号を表示部１０に出力する。そして、表示部１０はこの画像表示信号を入力し、指定した色の画像を表示部１０の画面１０ａに表示（例えば、図６（Ｂ）のＧ１の顔写真イメージ）した（ステップＳ１５）後、本イメージ表示処理を終了する。
【００３２】
　一方、ステップＳ１１の判定の結果、マウス４等によるイメージ列項目名（例えば、図６（Ｃ）の「顔写真」（画像セルＢ０））の選択指示がある場合には、ＣＰＵ２は１行目のデータ（例えば、図６（Ａ）のセル座標Ｂ１）を指定し（ステップＳ１６）、縮小イメージファイル１２から該当する縮小イメージデータを取り出して（ステップＳ１７）、所定時間に設定されたタイマをセットする処理（ステップＳ１８）を行う。そして、取り出した縮小イメージデータからＣＰＵ２は縮小画像表示信号を生成して（ステップＳ１９）、この縮小画像表示信号を表示部１０に出力する。表示部１０は入力した縮小画像表示信号を指定された色の縮小画像に変換して表示部１０の画面１０ａに表示（例えば、図６（Ｃ）のＧ２の縮小顔写真イメージ）する（ステップＳ２０）。
【００３３】
　その後、表示時間が所定時間を経過（タイムアップ）したか否かの判定（ステップＳ２１）を行い、この判定の結果、表示時間がタイムアップした場合には、次行のデータがあるか否かの判定（ステップＳ２２）を行う。
　このステップＳ２２の判定の結果、次行データが無しと判定された場合には、そのまま本イメージ表示処理を終了するが、次行データが有りと判定された場合には、ステップＳ１７に戻り、次行のセルに対応する縮小顔写真データを読み出して表示処理を実行する（ステップＳ１７〜Ｓ２０）。
【００３４】
　一方、ステップＳ２１の判定の結果、表示時間がタイムアップしていない場合には、ステップＳ２３に移行して、マウス等によるクリック指示があるか否かを判定する。この判定の結果、クリック指示がない場合には、ステップＳ２０に移行して表示を継続して行うが、クリック指示がある場合には、ＣＰＵ２はイメージファイル１１から該当するイメージデータを読み出して（ステップＳ２４）、取り出したイメージデータから画像表示信号を作成し（ステップＳ２５）、この作成した画像表示信号を表示部１０に出力する。表示部１０は、入力した画像表示信号を指定した色の画像イメージに変換して表示画面１０ａに表示（例えば、図６（Ｂ）のＧ１の画像イメージ）した（ステップＳ２６）後、本イメージ表示処理を終了する。
【００３５】
　従って、イメージデータが記憶された「顔写真」のデータ列については、「顔写真」のセル（例えば、図６のＢ１〜Ｂｎ）をクリックすることで縮小イメージが順次表示され、所望の写真が出力された時点で所定のクリック操作するとその本イメージデータを表示することが出来る。
【００３６】
　なお、図４及び図５に示すフローチャートに記載した各機能を実現するプログラムは、ＣＰＵ２が読取り可能なプログラムコードの形態で記憶装置５、或いは記憶媒体５ａに記憶されている。
【００３７】
　以上説明した本発明に好適なコンピュータシステム１によれば、ＣＰＵ２（画像イメージ表示手段）に含まれる画像イメージ連続表示手段により、入力部３（指定手段）又はマウス４（指定手段）による所定の操作（例えば、マウス４のクリック操作）に基づいて画像データから画像イメージが所定の順番で連続的に生成され、生成された各画像イメージが所定時間で連続的に表示手段に表示される。
　従って、画像イメージを表示させる場合に、画像セルを１回づつ指定する必要がなく、所定の操作により画像イメージが所定の順番で連続的に表示されることとなって、画像イメージの表示操作を簡単に行うことが出来る。
【００３８】
　また、ＣＰＵ２（画像イメージ連続表示手段）により縮小画像イメージが表示部１０（表示手段）に連続的に表示されている間に、入力部２（指定手段）又はマウス４（指定手段）による所定の操作（例えば、マウス４のクリック操作）があった場合には、ＣＰＵ２（画像イメージ切換表示手段）により当該操作時に表示部１０（表示手段）に表示されている縮小画像イメージに基づく画像イメージが生成され、この画像イメージが表示部１０（表示手段）に表示される。
　従って、ユーザーが希望する縮小画像イメージが出現した場合には、縮小画像イメージから画像イメージ（縮小されていない画像イメージ）への切換が可能になることとなって、更に画像データの表示性の優れたものとなる。
【００３９】
　以上、本発明を実施の形態に基づいて具体的に説明したが、本発明は上記実施の形態に限定されるものではなく、その要旨を逸脱しない範囲で適宜に変更可能であることは勿論である。
　また、上記実施の形態においては、表示部１０の表示画面１０ａに表示される表データについて述べたが、印刷部９によって所定用紙に印刷される表データについても同様のことが言える。
　また、上記実施の形態においては、ポインティングデバイスとしてマウスを用いたが、これはマウスに限定されるものではなく、例えば、ペン入力装置やトラックボール、あるいはタッチパッドなどであってもよいことは勿論である。
【００４０】
また、上記実施の形態においては、イメージリーダー８により各担当者の顔画像のイメージデータをイメージファイル１１に取り込む構成としているが、これは前記内容に限定されるものではなく、デジタルカメラなどにより撮影された各担当者の顔画像のイメージデータを通信回線を介して、或いは無線通信などによりイメージファイル１１に取り込む構成としてもよい。
　また、上記実施の形態においては、画像セルに格納される画像データを各担当者の顔画像のイメージデータとしているが、それ以外の画像データであってもよいことは勿論である。
　また、上記実施の形態においては、画像データは表データファイルと別個のイメージファイルに格納されている構成としたが、表データファイルに直接画像データを取り込む構成のものであってもよい。
【００４１】
　また、画像イメージを連続表示するときの表示時間を設定する表示時間設定手段を設け、表示時間を任意に設定してもよい。
【００４２】
　また、上記実施の形態においては、画像イメージを連続表示するときの表示の順番は表データファイルに格納された順番としたが、表示の順位を決定する表示順位決定手段を設け、設定した表示順位で表示するようにしてもよい。
【図面の簡単な説明】
【００４３】
【図１】本発明を適用したコンピュータシステムのブロック構成図である。
【図２】図１の表データファイルに格納されるセルデータのデータ構造を示す図である。
【図３】図１の表データファイル、イメージファイル、縮小ファイルの関係を示す図である。
【図４】図１のＣＰＵにおいて実行される表データ指定処理のフローチャートである。
【図５】図１のＣＰＵにおいて実行されるイメージ表示処理のフローチャートである。
【図６】図４及び図５に示す処理により表示画面に表示される表データ内容の一実施例を示す図である。
【符号の説明】
【００４４】
　１　コンピュータシステム
　２　ＣＰＵ（判別手段、表示制御手段、画像イメージ表示手段、画像イメージ連続表示手段、縮小画像データ生成手段、画像イメージ切換表示手段）
　３　入力部（指定手段）
　４　マウス（指定手段）
　５　記憶装置
　５ａ　記憶媒体
　６　加工用ワークメモリ
　７　表データファイル（表データ記憶手段）
　８　イメージリーダー
　９　印刷部
　１０　表示部（表示手段）
　１１　イメージファイル（表データ記憶手段）
　１２　縮小イメージファイル（縮小画像データ記憶手段）
　１３　バス
【図１】
2004139089.tif 000003
【図２】
2004139089.tif 000004
【図３】
2004139089.tif 000005
【図４】
2004139089.tif 000006
【図５】
2004139089.tif 000007
【図６】
2004139089.tif 000008